(57)【要約】      （修正有）【課題】簡易な構造で、食材を運ぶことを可能としたトレー状のまな板を提供する。【解決手段】薄板状のまな板本体Ｃの前後方向に前後端を結ぶ２条の折れ線１Ａ、１Ｂを設け、上記折れ線同士の間隔はまな板の前端から後端に向かうに従い広くなるハの字状とし、折れ線に沿ってまな板を折り曲げることにより中央に平面台形のまな板面Ｃ１を残して左右に側壁面Ｃ２、Ｃ３が立ち上がるまな板において、まな板の前端部付近の折れ線の左右に指先を挿通可能な一対の貫通穴２Ａ、２Ｂを設ける。【選択図】図１
0003180421.tif 000002
【実用新案登録請求の範囲】
【請求項１】
薄板状のまな板本体の前後方向に前後端を結ぶ２条の折れ線を設け、上記折れ線同士の間隔はまな板の前端から後端に向かうに従い広くなるハの字状とし、折れ線に沿ってまな板を折り曲げることにより中央に平面台形のまな板面を残して左右に側壁面が立ち上がるまな板において、まな板の前端部付近の折れ線の左右に指先を挿通可能な一対の貫通穴を設けたことを特徴とするまな板。
【請求項２】
貫通穴はまな板の左右に幅広の長穴状に構成される請求項１記載のまな板。
【請求項３】
貫通穴は楕円状である請求項１または２記載のまな板。
【考案の詳細な説明】
【技術分野】
【０００１】
この考案はキッチンで使用するためのまな板に関し、特に薄板状の合成樹脂板により構成されるまな板に関する。
【背景技術】
【０００２】
厚板状のまな板に代わり、薄板状の合成樹脂板により構成されるシート状まな板が普及しつつある。
【０００３】
この種のまな板は剛性を有する従来の厚板状のまな板と異なり剛性が弱く、刻んだ食材を載せたまままな板を持ち上げようとすると撓んで不安定であり、変形して食材がこぼれ落ちるおそれがあった。
【０００４】
そこで、まな板本体の前後方向に前後端を結ぶ２条の折れ線を設け、折れ線に沿ってまな板を折り曲げることにより中央にまな板面を残して左右に側壁面が立ち上がるまな板が提案されていた（特許文献１）。このまな板においては指先でまな板の左右箇所を摘んで立ち上げることにより、食材の載置面とその左右の側壁面からなるトレー状となり、全体の剛性が確保される他、食材を載せたまま運んでも側壁面によりこぼれ落ちが防止される利点を有した。
【０００５】
また、薄板状のまな板本体の前後方向に前後端を結ぶ２条の折れ線を設け、上記折れ線同士の間隔はまな板の前端から後端に向かうに従い広くなるハの字状とし、さらに前端付近のまな板の全幅を狭く構成することにより持ち手状とし、折れ線に沿ってまな板を折り曲げることにより中央に平面台形のまな板面を残して左右に側壁面が立ち上がるまな板も提案されていた（特許文献２）。
【０００６】
これらのまな板においては指先でまな板の左右箇所を摘んで立ち上げることにより、食材の載置面とその左右の側壁面からなるトレー状となり、全体の剛性が確保される他、食材を載せたまま運んでも側壁面によりこぼれ落ちが防止される利点を有した。
【先行技術文献】
【特許文献】
【０００７】
【特許文献１】特開２０１１−１２５５２３号公報
【特許文献２】欧州共同体意匠００１１６０１７０−００１０公報
【考案の概要】
【考案が解決しようとする課題】
【０００８】
しかしながら前者の従来技術のまな板においては、指先でまな板の左右箇所を摘んで立ち上げる作業を行なうには両手の指を使ってまな板の左右箇所を摘むとともに、他の指先を食材の載置面にあてがう行為が必要となり、一挙動で操作することができなかった。
【０００９】
一方、後者の従来技術のまな板においては、前端付近のまな板の全幅を狭く構成することにより持ち手状としているので、片手の指先でまな板の左右箇所を摘むだけで左右箇所を立ち上げることができるが、その分形状が複雑となった。
【課題を解決するための手段】
【００１０】
この考案は前記の問題点に鑑みて創作されたものであり、薄板状のまな板本体の前後方向に前後端を結ぶ２条の折れ線を設け、上記折れ線同士の間隔はまな板の前端から後端に向かうに従い広くなるハの字状時とし、折れ線に沿ってまな板を折り曲げることにより中央に平面台形のまな板面を残して左右に側壁面が立ち上がるまな板において、まな板の前端部付近の折れ線の左右に指先を挿通可能な一対の貫通穴を設けたことを特徴とする。
【考案の効果】
【００１１】
以上の構成よりなるこの考案のまな板によれば、折れ線に沿ってまな板を折り曲げることにより中央に平面台形のまな板面を残して左右に側壁面が立ち上がるので、全体の剛性が確保され、刻んだ食材を載せたまままな板を持ち上げても食材の重さで撓むことがない。しかも、左右に側壁面が立ち上がることにより、まな板がトレーとして機能し、刻んだ食材をまな板に載せたまま運んだり、鍋にそのまま落とし入れることができる。
【００１２】
一方、この考案のまな板においては前端部付近の折れ線の左右に指先を挿通可能な一対の貫通穴が設けられているので、２本の指のそれぞれをそれぞれの貫通穴に挿し入れて指先同士を摘むことにより、一挙動で左右の側壁面を簡単に立ち上げてまな板をトレー状に折り曲げることが可能となる。しかも、まな板は貫通穴の内周壁が摘んだ指に係止されるので摘んだ指からまな板が脱落することがなく、確実なまな板のトレー状への保形および保持が実現されることとなる。
【００１３】
また、貫通穴は同時にまな板をフックなどに引っ掛ける際の引っ掛け穴としても機能するので、特別な部材を要せずしてフック付きのまな板を製造することが可能となる。
【００１４】
この場合、貫通穴は指先が通過可能な大きさとしているので、吊り戸棚に設けられたバーなどを利用してまな板を吊り下げことも可能となり、壁面から突設した吊り下げ具に限定されることがない。
【００１５】
一方、一対の貫通穴はまな板の中心より左右に偏位しているので、吊り下げた際にまな板上端面は斜めに下降することとなり、水滴や埃が落下しやすく、これらが滞留することが防止される。
【図面の簡単な説明】
【００１６】
【図１】この考案のまな板の背面図。
【図２】この考案のまな板の正面図。
【図３】同上、平面図。
【図４】同上、底面図。
【図５】同上、使用状態の斜視図。
【図６】同上、使用状態の斜視図。
【考案を実施するための形態】
【００１７】
以下、この考案のまな板の具体的実施例を添付図面に基づいて説明する。このまな板Ｃは折り曲げ可能な可撓性を有する合成樹脂により薄板状に構成されるものであり、まな板本体の前後方向に前後端を結ぶ２条の折れ線１Ａ、１Ｂが設けられる（図１参照）。この折れ線１Ａ、１Ｂは、図３、４に示すようにまな板面にＶ字状の溝を設けることにより薄肉状となった溝の底部が可撓することにより、折れ線に沿ってまな板が折り曲げられる
【００１８】
前記の２条の折れ線１Ａ、１Ｂ同士の間隔はまな板Ｃの前端から後端に向かうに従い広くなるハの字状とし、折れ線に沿ってまな板を折り曲げることにより中央に平面台形のまな板面Ｃ１を残して左右に側壁面Ｃ１、Ｃ２が立ち上がる。
【００１９】
図中符号２Ａ、２Ｂはまな板Ｃの前端部付近の折れ線１Ａ、１Ｂの左右に設けられる貫通穴である。この貫通穴２Ａ、２Ｂは人間の指先が挿通可能な大きさおよび形状に構成されるものであり、この実施例ではまな板の左右に幅広の長穴状に構成され、ここでは楕円状としている。このように、貫通穴２Ａ、２Ｂを左右に幅広の長穴状とした場合は、まな板Ｃの折り曲げ初期の段階（図５参照）では、互いの距離が一番短い互いの貫通穴の折れ線側に指を挿し入れることにより、指同士を無理に拡げずに摘むことが可能なる。そして、折り曲げが進行して側壁面Ｃ１、Ｃ２が立ち上がった段階（図６参照）では指を貫通穴のまな板端側に移動することにより、指で貫通穴の内周壁上方を係止してまな板が脱落を防止した確実なまな板の保持が可能となる。
【００２０】
なお、この実施例においてはまな板Ｃは四隅に丸みを帯びた矩形としているが、形状はこれに限られないことは勿論である。
【符号の説明】
【００２１】
Ｃ                まな板
１Ａ、１Ｂ        折れ線
２Ａ、２Ｂ        貫通穴
Ｃ１              まな板面
Ｃ２、Ｃ３        側壁面
【図１】
0003180421.tif 000003
【図２】
0003180421.tif 000004
【図３】
0003180421.tif 000005
【図４】
0003180421.tif 000006
【図５】
0003180421.tif 000007
【図６】
0003180421.tif 000008